(57)【要約】【課題】  粉塵を生じさせる被処理物を排出車の荷台に積込む際に、粉塵が飛散することを防止し、作業環境を向上させることが可能な積込み設備を提供することを目的とする。【解決手段】  粉塵を生じさせる被処理物を搬出車２の荷台３に積み込む際に、弾性体からなる飛散防止スカート８を荷台３の開口を形成する周縁部３ａに押し当て、開口の周縁部３ａの形状や凹凸に対応して変形させ密着させる。これにより、荷台３の開口の周縁部３ａと飛散防止スカート８との間の隙間を無くす。【選択図】  図３
2006193324.tif 000002
【特許請求の範囲】
【請求項１】
粉塵を生じさせる被処理物を搬出車の荷台に積み込むための積込み設備において、
前記被処理物が流通する経路と、
この経路の出口側に設けられ、弾性体からなり、前記荷台の開口を形成する周縁部に密着する飛散防止スカートと、
この飛散防止スカートを昇降させて前記周縁部に密着／離間させる昇降手段とを備えることを特徴とする積込み設備。
【請求項２】
前記経路は、前記飛散防止スカートの上流側に配置された伸縮自在の蛇腹部を備えることを特徴とする請求項１記載の積込み設備。
【請求項３】
前記飛散防止スカートの内側の面に設けられ、前記被処理物が前記飛散防止スカートに接触することを防止する保護スカートを備えることを特徴とする請求項１又は２記載の積込み設備。
【請求項４】
前記荷台及び前記経路によって形成された空間内を吸引する吸引手段を備えることを特徴とする請求項１〜３の何れか一項に記載の積込み設備。
【発明の詳細な説明】
【技術分野】
【０００１】
本発明は、粉塵を生じさせる被処理物を搬出車の荷台に積み込むための積込み設備に関する。
【背景技術】
【０００２】
例えば、焼却施設や溶融施設等の中間処理施設（廃棄物処理施設）では、廃棄物が焼却／溶融処理され、焼却灰、飛灰、飛灰の固化処理物、溶融スラグ、焼却不適物、溶融不適物、排水処理汚泥等の残渣（被処理物）が発生する。これらの残渣は、ダンプ車等の搬出車の荷台として設けられた運搬容器に収容されて運搬され、最終処分場で埋め立て処理される。一方残渣のうち、有効利用可能な溶融スラグや磁性物等は別途取引先等に運搬されて再生処理される場合がある。
【０００３】
一般に、ダンプ車等への残渣の積み込みを行う積込み設備では、残渣を排出する排出シュートを備え、この排出シュートを通り排出された残渣から生じる粉塵の飛散を防止するための飛散防止装置が設けられている。ここで、粉塵の飛散を防止する技術として、排出シュートの周囲にエアーカーテンを形成する技術が提案されている（例えば、特許文献１参照）。
【特許文献１】特開平１１−１１６０６２号公報
【発明の開示】
【発明が解決しようとする課題】
【０００４】
しかしながら、上記特許文献１に記載の従来技術では、粉塵がエアカーテンを通じて搬出車の荷台の周囲に飛散し、積み込み作業を行う作業場での作業環境の改善が求められている。
【０００５】
本発明は、このような課題を解決するために成されたものであり、粉塵を生じさせる被処理物を搬出車の荷台に積込む際に、粉塵が飛散することを防止し、作業環境を向上させることが可能な積込み設備を提供することを目的とする。
【課題を解決するための手段】
【０００６】
本発明による積込み設備は、粉塵を生じさせる被処理物を搬出車の荷台に積み込むための積込み設備において、被処理物が流通する経路と、この経路の出口側に設けられ、弾性体からなり、荷台の開口を形成する周縁部に密着する飛散防止スカートと、この飛散防止スカートを昇降させて周縁部に密着／離間させる昇降手段とを備えることを特徴としている。
【０００７】
このような積込み設備によれば、粉塵を生じさせる被処理物を搬出車の荷台に積み込む際に、弾性体からなる飛散防止スカートが搬出車の荷台の開口を形成する周縁部に押し当てられ、開口を形成する周縁部の形状や凹凸に対応して変形し密着する。これにより、荷台の開口を形成する周縁部と飛散防止スカートとの間の隙間を無くすことができる。なお、ここでいう「粉塵を生じさせる被処理物」とは、例えば、粉塵が付着した被処理物、粉塵自体、被処理物の一部が粉砕して粉塵を生じさせるものを含むこととする。
【０００８】
ここで、経路は、飛散防止スカートの上流側に配置された伸縮自在の蛇腹部を備える構成とされていると、経路の長さを自在に設定することが可能となり、蛇腹部の下流側に配置された飛散防止スカートの高さ位置を自在に変更することができるため、荷台の開口を形成する周縁部の高さ位置の違いに対応させやすくなる。これにより、荷台の開口を形成する周縁部と飛散防止スカートとの間の隙間を確実且つ容易に無くすことができる。
【０００９】
また、飛散防止スカートの内側の面に設けられ、被処理物が飛散防止スカートに接触することを防止する保護スカートを備える構成であると、飛散防止スカートの内側の面が保護スカートによって保護され、被処理物による損傷を防止することができ、飛散防止スカートの長寿命化を図ることができる。
【００１０】
また、荷台及び経路によって形成された空間内を吸引する吸引手段を備えていると好ましい。
【発明の効果】
【００１１】
本発明の積込み設備によれば、搬出車の荷台の開口を形成する周縁部と飛散防止スカートとの間の隙間を無くすことができるため、粉塵を生じさせる被処理物を搬出車の荷台に積込む際に、粉塵が飛散することを防止し、作業環境を向上させることが可能な積込み設備を提供することができる。
【発明を実施するための最良の形態】
【００１２】
以下、本発明による積込み設備の好適な実施形態について図面を参照しながら説明する。なお、図面の説明において、同一または相当要素には同一の符号を付し、重複する説明は省略する。図１は、本発明の実施形態に係る残渣積込み設備を示す側面図、図２は、図１に示す残渣積込み設備の背面図、図３及び図４は、残渣積込み状態の残渣積込み設備を示す各図、図５は、飛散防止用スカート及びその近傍を示す拡大断面図である。
【００１３】
図１〜図４に示す残渣積込み設備１は、例えば、廃棄物を焼却／溶融処理する焼却施設／溶融施設等の廃棄物処理施設に設置され、発生した焼却灰／溶融スラグ等の残渣（粉塵を生じさせる被処理物）をダンプ車（搬出車）２等の荷台３に積み込む際に利用されるものである。荷台３は、上部に開口を有する箱型を成し、この荷台３に対して上方から残渣が積み込まれる。
【００１４】
残渣積込み設備１は、残渣を一時貯留する鋼板製のホッパ４を備え、このホッパ４内の下部には開閉ゲート（不図示）が設けられている。この開閉ゲートを閉じることで、残渣が一時貯留され、開閉ゲートを開くことで、残渣が下方へ落下する。また、ホッパ４の下側には、残渣が落下（流通）する筒状の経路を形成すると共に、残渣積込みの際に、生じる粉塵や落塵が周囲へ飛散することを防止する飛散防止装置５が設けられている。
【００１５】
この飛散防止装置５は、ホッパ４の下端に接続されたフード６と、このフード６の下端に設けられた伸縮自在の伸縮蛇腹（蛇腹部）７と、この伸縮蛇腹７の下端に設けられた飛散防止用スカート８と、この飛散防止用スカート８を昇降させる昇降手段９とを備えている。また、フード６の側面には、経路内の粉塵を吸引するための吸引配管（吸引手段）１６が接続されている。吸引された粉塵は、別途設置された集塵装置に回収される。
【００１６】
飛散防止用スカート８は、平面視において全体が矩形の環状を成し、荷台３の上端部（開口を形成する周縁部）３ａに対応する大きさとされている。飛散防止用スカート８の外面は、図５に示すように、耐摩耗性、引張強度に優れた布繊維折込ゴムシート（弾性体）８ａにより形成され、内部にはゴムクッション（弾性体）８ｂが充填されている。飛散防止用スカート８の幅８ｗは、荷台３の上端部３ａの厚さ３ｗに比して充分に大きくされている。また、飛散防止用スカート８の内側の面には、平板状の保護スカート１０が設置されている。この保護スカート１０は、布繊維折込ゴムシートによって形成され、残渣や粉塵が飛散防止用スカート８に接触することを防止するものである。
【００１７】
そして、飛散防止用スカート８は、伸縮蛇腹７の下端に設けられ全体で矩形を成す枠体１１の下面に取り付けられている。この枠体１１の上面には、当該枠体１１を上方から吊るための複数のブラケット１１ａが設けられている。
【００１８】
図１〜図４に示すように、枠体１１を介して飛散防止用スカート８を昇降させる昇降手段９は、電動機１２と、この電動機１２に接続され電動機１２の回転運動を伝達する回転軸１３と、この回転軸１３に設けられたスプロケット１４と、このスプロケット１４に巻回され上記ブラケット１１ａに連結されたチェーン１５とを有している。
【００１９】
回転軸１３は、連結部材によって互いに結合されて、ホッパ４を四方から囲むように配置されている。また、スプロケット１４は、ブラケット１１ａに対応する位置に各々設けられている。そして、電動機１２を正逆回転することで、飛散防止用スカート８が昇降され、それに応じて伸縮蛇腹７が伸縮する。
【００２０】
次に、このように構成された残渣積込み設備１の飛散防止装置５の作用について、図１〜図５を参照して説明する。先ず、ダンプ車２への残渣の積み込みが行われていない待機状態では、図１及び図２に示すように、飛散防止用スカート８は所定の上方位置に位置している。このとき、伸縮蛇腹７は縮んだ状態とされ、ホッパ４の開閉ゲートは閉じられている。
【００２１】
一方、ダンプ車２への積み込みを行う際には、ダンプ車２を、図３及び図４に示すように、所定の位置に停車し、電動機１２を駆動して、飛散防止用スカート８を所定量降下させて、飛散防止用スカート８を荷台３の上端部３ａに密着させる。このとき、飛散防止用スカート８は、図５に示すように、枠体１１等の重さにより、上端部３ａの形状や凹凸に対応して変形し、上端部３ａと飛散防止用スカート８との間の隙間が、全周にわたり無くなる。この状態で、ホッパ４の開閉ゲートを開放して、残渣をダンプ車２の荷台３に積み込む。また、このとき、吸引手段を稼動させて、荷台３及び飛散防止装置５によって形成された密閉空間内を浮遊する粉塵を吸引する。そして、残渣の積込みが完了したら、吸引手段を停止すると共に、飛散防止用スカート８を昇降手段９により上方に引き上げて飛散防止用スカート８を荷台３から離間させてダンプ車２を発車させる。
【００２２】
このような残渣積込み設備１の飛散防止装置５によれば、残渣を荷台３に積み込む際に、荷台３の上端部３ａに押し当てられた、弾性体からなる飛散防止スカート８が、荷台３の上端部３ａ形状や凹凸に対応して変形し密着し、荷台３の上端部３ａと飛散防止スカート８との隙間を無くすことができるため、荷台３への積込みの際の粉塵の周囲への飛散を防止し作業環境を向上させることが可能となる。更に、粉塵が周囲に飛散することがないので、清掃作業等の負担が軽減されると共に、清掃作業に使用される洗浄水量を減らすことができ、洗浄排水の処理量を減らすことができる。
【００２３】
また、飛散防止スカート８の上流側に配置された伸縮自在の伸縮蛇腹７を備える構成であるため、伸縮蛇腹７の下流側に配置された飛散防止スカート８の位置を自在に変更することができ、ダンプ車２の高さの違いに対応させて、飛散防止用スカート８を荷台３の上端部３ａに確実に且つ容易に密着させることができる。
【００２４】
また、飛散防止スカート８の内側の面に保護スカート１０を備えているため、飛散防止スカート８が保護スカート１０によって保護され、飛散防止スカート８の長寿命化が図られている。
【００２５】
以上、本発明をその実施形態に基づき具体的に説明したが、本発明は、上記実施形態に限定されるものではない。上記実施形態において、搬出車をダンプ車２としているが、例えばトラックを始めとしたその他の搬出車でも良い。
【００２６】
また、上記実施形態では、布繊維折込ゴムシート８ａ及びゴムクッション８ｂからなる飛散防止用スカート８としているが、その他の弾性体からなる飛散防止用スカートとしても良い。
【００２７】
また、上記実施形態では、積込み設備を、焼却施設／溶融施設等の廃棄物処理施設に設置し、焼却灰／溶融スラグ等の残渣の積込みに適用しているが、例えば、飛灰、飛灰の固形物、焼却不適物、溶融不適物等の積込みに適用しても良く、排水処理施設で発生する排水処理汚泥や、リサイクル施設等で発生するその他の粉塵を生じさせる被処理物の積込みに適用しても良い。
【図面の簡単な説明】
【００２８】
【図１】本発明の実施形態に係る残渣積込み設備を示す側面図である。
【図２】図１に示す残渣積込み設備の背面図である。
【図３】残渣積込み状態の残渣積込み設備を示す側面図である。
【図４】残渣積込み状態の残渣積込み設備を示す背面図である。
【図５】飛散防止用スカート及びその近傍を示す拡大断面図である。
【符号の説明】
【００２９】
１…残渣積込み設備、３…荷台、７…伸縮蛇腹（蛇腹部）、８…飛散防止用スカート、８ａ…布繊維折込ゴムシート（弾性体）、８ｂ…ゴムクッション（弾性体）、９…昇降手段、１０…保護スカート、１６…吸引配管（吸引手段）。
【図１】
2006193324.tif 000003
【図２】
2006193324.tif 000004
【図３】
2006193324.tif 000005
【図４】
2006193324.tif 000006
【図５】
2006193324.tif 000007